(57)【要約】【課題】使用目的に応じて所望のＣＡＤデータを容易に引き出すことが可能なＣＡＤデータ管理システムを提供することにより、ＣＡＤの使い勝手を向上させる。【解決手段】ＣＡＤデータ管理システム１を、車両用部品に対して異なる分類形式に基づいた複数種類の属性情報を付与する属性情報付与手段１２と、上記属性情報および各部品のＣＡＤデータを対応づけて記憶する記憶手段１４と、この記憶手段に記憶された複数の分類形式から特定の分類形式が選択されるのに応じて、上記複数種類の属性情報のうちの特定の属性情報およびこれに属する部品を部品検索データとして表示手段１６に表示させるとともに、この部品検索データから特定の車両用部品のＣＡＤデータが選択されるのに応じてそのＣＡＤデータを上記記憶手段１４から読み出して表示手段１６に表示させるように制御する制御手段１０とを備えるように構成する。【選択図】図１
2007328497.tif 000002
【特許請求の範囲】
【請求項１】
車両用のＣＡＤデータを管理するＣＡＤデータ管理システムであって、
車両用部品に対して異なる分類形式に基づいた複数種類の属性情報を付与する属性情報付与手段と、
上記属性情報および各部品のＣＡＤデータを対応づけて記憶する記憶手段と、
この記憶手段に記憶された複数の分類形式から特定の分類形式が選択されるのに応じて、上記複数種類の属性情報のうちの特定の属性情報およびこれに属する部品を部品検索データとして表示手段に表示させるとともに、この部品検索データから特定の車両用部品のＣＡＤデータが選択されるのに応じてそのＣＡＤデータを上記記憶手段から読み出して表示手段に表示させるように制御する制御手段とを備えたことを特徴とするＣＡＤデータ管理システム。
【請求項２】
請求項１記載のＣＡＤデータ管理システムにおいて、
上記属性情報には、各部品の機能に基づくシステム分類名と、各部品の組付位置に基づくレイアウト分類名と、各部品が使用される車両の仕様条件に基づく車種仕様分類名とが含まれることを特徴とするＣＡＤデータ管理システム。
【請求項３】
請求項１または２記載のＣＡＤデータ管理システムにおいて、
上記制御手段は、上記部品検索データとして、各部品のアイコンを下位層に、その部品の属性情報のアイコンを上位層にそれぞれ表示させたツリー状のデータを表示手段に表示させることを特徴とするＣＡＤデータ管理システム。
【請求項４】
請求項３記載のＣＡＤデータ管理システムにおいて、
上記制御手段は、上記属性情報のアイコンを複数の階層に分けて表示手段に表示させることを特徴とするＣＡＤデータ管理システム。
【請求項５】
請求項２記載のＣＡＤデータ管理システムにおいて、
上記属性情報付与手段は、車両の仕向け先、ボディ形式、エンジン形式等の項目からユーザによって任意に抽出された仕様条件に基づいて上記車種仕様分類名を付与することを特徴とするＣＡＤデータ管理システム。
【請求項６】
請求項１〜５のいずれか１項に記載のＣＡＤデータ管理システムにおいて、
上記制御手段は、上記部品検索データの選択状態に応じて、単一の車種のＣＡＤデータを表示手段に表示させる機能と、複数の車種のＣＡＤデータを重ねて表示手段に表示させる機能とを有することを特徴とするＣＡＤデータ管理システム。
【発明の詳細な説明】
【技術分野】
【０００１】
本発明は、車両用のＣＡＤデータを管理するＣＡＤデータ管理システムに関する。
【背景技術】
【０００２】
従来、下記特許文献１に示されるように、製品の構成をＣＡＤ図面用にデータ化したＣＡＤデータと、このＣＡＤデータに対応する製品構成の名称を表示する表示用データとをツリー状に階層化して管理する製品データ管理システムにおいて、上記表示用データのアイコンをツリー状に階層化する際に、この表示用データのアイコンを上記ＣＡＤデータのアイコンよりも上位の階層に配置して表示させるように構成することにより、表示用データのアクセスを容易化して、製品構成の閲覧性を向上させることが行われている。
【特許文献１】特開２００３−６２４２号公報
【発明の開示】
【発明が解決しようとする課題】
【０００３】
このように、上記特許文献１に開示された製品データ管理システムでは、部品や組品といった部品構成に関する情報に基づいてＣＡＤデータを分類・階層化しているが、システム利用者の使用目的によっては、異なる分類形式によってＣＡＤデータが分類されている方が使い勝手が良い場合がある。しかしながら、上記特許文献１では、１種類の分類形式によってのみＣＡＤデータが分類されているため、このような要求に応えられないという問題があった。
【０００４】
本発明は、上記のような事情に鑑みてなされたものであり、使用目的に応じて所望のＣＡＤデータを容易に引き出すことが可能なＣＡＤデータ管理システムを提供することにより、ＣＡＤの使い勝手を効果的に向上させることを目的とする。
【課題を解決するための手段】
【０００５】
上記課題を解決するためのものとして、本発明は、車両用のＣＡＤデータを管理するＣＡＤデータ管理システムであって、車両用部品に対して異なる分類形式に基づいた複数種類の属性情報を付与する属性情報付与手段と、上記属性情報および各部品のＣＡＤデータを対応づけて記憶する記憶手段と、この記憶手段に記憶された複数の分類形式から特定の分類形式が選択されるのに応じて、上記複数種類の属性情報のうちの特定の属性情報およびこれに属する部品を部品検索データとして表示手段に表示させるとともに、この部品検索データから特定の車両用部品のＣＡＤデータが選択されるのに応じてそのＣＡＤデータを上記記憶手段から読み出して表示手段に表示させるように制御する制御手段とを備えたことを特徴とするものである（請求項１）。
【０００６】
本発明によれば、属性情報付与手段によって分類形式の異なる複数種類の属性情報を各車両用部品に付与しておき、上記複数の分類形式から選択された特定の分類形式に応じて特定の属性情報およびこれに属する部品を部品検索データとして表示手段に表示させるとともに、この部品検索データから特定の部品のＣＡＤデータが選択されるのに応じてそのＣＡＤデータを表示手段に表示させるようにしたため、使用目的に応じた適正な形式の部品検索データを用いて必要なＣＡＤデータを容易に引き出すことが可能で、もってＣＡＤの使い勝手を効果的に向上させることのできるＣＡＤデータ管理システムを構築することができる。
【０００７】
上記属性情報には、例えば、各部品の機能に基づくシステム分類名と、各部品の組付位置に基づくレイアウト分類名と、各部品が使用される車両の仕様条件に基づく車種仕様分類名とが含まれることが好ましい（請求項２）。
【０００８】
このようにすれば、特定の機能を有する部品もしくは特定の組付位置に組み付けられる部品のＣＡＤデータを容易に引き出したり、車両の仕様条件に応じて使い分けられる部品のＣＡＤデータを車種ごとに容易に引き出したりできるという利点がある。
【０００９】
上記制御手段は、上記部品検索データとして、各部品のアイコンを下位層に、その部品の属性情報のアイコンを上位層にそれぞれ表示させたツリー状のデータを表示手段に表示させることが好ましい（請求項３）。
【００１０】
このように、各部品およびその属性情報のアイコンが階層化されたツリー状のデータを上記部品検索データとして表示手段に表示させた場合には、このツリー状の部品検索データを用いて必要な部品のＣＡＤデータをより容易に引き出すことができる。
【００１１】
上記制御手段は、上記属性情報のアイコンを複数の階層に分けて表示手段に表示させることが好ましい（請求項４）。
【００１２】
このようにすれば、従属関係にある複数の属性情報が系統的に整理された部品検索データを表示手段に表示させることができ、必要な部品のＣＡＤデータをさらに容易に引き出すことが可能になる。
【００１３】
上記属性情報付与手段は、車両の仕向け先、ボディ形式、エンジン形式等の項目からユーザによって任意に抽出された仕様条件に基づいて上記車種仕様分類名を付与することが好ましい（請求項５）。
【００１４】
このようにすれば、各種存在する車両の仕様条件のうち、ユーザにとって重要な仕様条件のみに基づいて上記車種仕様分類名を付与することができるため、部品検索データが必要以上に複雑になることに起因してＣＡＤの使い勝手が低下してしまうことを有効に回避することができる。
【００１５】
上記制御手段は、上記部品検索データの選択状態に応じて、単一の車種のＣＡＤデータを表示手段に表示させる機能と、複数の車種のＣＡＤデータを重ねて表示手段に表示させる機能とを有することが好ましい（請求項６）。
【００１６】
このように、表示手段に単一の車種のＣＡＤデータを表示させたり、複数の車種のＣＡＤデータを重ねて表示させたりできるようにした場合には、使用目的に応じたＣＡＤデータの多様な表示を可能にしてＣＡＤの使い勝手をより効果的に向上させることができるという利点がある。
【発明の効果】
【００１７】
以上説明したように、本発明によれば、使用目的に応じて所望のＣＡＤデータを容易に引き出すことが可能なＣＡＤデータ管理システムを提供することができ、その結果ＣＡＤの使い勝手を効果的に向上させることができる。
【発明を実施するための最良の形態】
【００１８】
図１は、本発明の一実施形態にかかるＣＡＤデータ管理システム１の全体構成を示すブロック図である。本図に示すＣＡＤデータ管理システム１は、車両を構成する各種部品に対して所定の属性情報をデータベース上で付与する操作を行うためのキーボードやマウス等からなる属性情報付与手段１２と、上記属性情報および各部品のＣＡＤデータを対応づけて記憶するＨＤＤ等からなる記憶手段１４と、上記属性情報およびこれに属する部品をアイコン化してツリー状にしたものを部品検索データとして表示するための液晶ディスプレイもしくはＣＲＴ等からなる表示手段１６と、この表示された部品検索データから所望の部品のＣＡＤデータを選択する操作を行うためのキーボードやマウス等からなる選択手段１８と、これら各手段１２〜１８を連携動作させるように統括制御するＣＰＵ等からなる制御手段１０とを備えている。そして、上記表示手段１６に表示された部品検索データから特定の部品のＣＡＤデータが上記選択手段１８により選択されるのに応じて、上記制御手段１０がそのＣＡＤデータを上記記憶手段１４から読み出して表示手段１６に表示させるように構成されている。
【００１９】
図２は、各車両用部品に付与される属性情報の概略内容を示している。この図２に示すように、各車両用部品には、その部品がどのような機能を有する部品であるかを規定するシステム分類名と、その部品が車両のどの位置に組み付けられるかを規定するレイアウト分類名と、その部品が使用される車両の仕様条件等を規定する車種仕様分類名とが、上記属性情報として付与されるようになっている。このうちシステム分類名およびレイアウト分類名としては、上位と下位の２つの階層の分類名が付与されるようになっており、その具体例を図２の括弧内に示す。すなわち、図２において括弧書きで例示されている部品「タンク本体」は、燃料の貯蔵や輸送を司る燃料系統に用いられる部品であり、より細かくは、燃料タンクおよびその周辺部品からなる燃料タンク系の一部として用いられるものであるため、上位のシステム名として「燃料系」が、下位のサブシステム名として「燃料タンク系」が付与されている。一方、上記タンク本体は、車体のフロア部に設置される部品であり、より細かくは、フロア部の後方に設置される部品であるため、上位のレイアウト名として「フロア部」が、下位のサブレイアウト名として「フロア後方部」が付与されている。なお、車種仕様分類名の具体例については後で述べる。
【００２０】
このような各部品に対する属性情報の入力は、例えば図３に示すような部品データベースを上記分類入力手段１２の操作に応じて作成することにより行われる。このデータベースを構成する表のIII部には、「タンク本体」「パイプ」「シリンダブロック」等の各部品の名称と、これらの部品に対応するＣＡＤデータ名（「ＸＸＸ」等からなるファイル名）が記入されており、このIII部を挟んだ両側に、上記システム分類名、レイアウト分類名、車種仕様分類名の各属性情報が記入されるようになっている。
【００２１】
図３の部品データベースにおけるＩ部およびII部には、各部品のシステム分類名およびレイアウト分類名が記入されるようになっている。例えば、部品「タンク本体」に対応するシステム分類名の欄には、先の図２で説明したような「燃料系」というシステム名と「燃料タンク系」というサブシステム名とが記入され、同様に、「タンク本体」に対応するレイアウト分類名の欄には、「フロア部」というレイアウト名と「フロア後方部」というサブレイアウト名とが記入されることになる。なお、図３において上記「タンク本体」の下欄に記載されている部品「パイプ」とは、上記タンク本体に燃料を導くためにこのタンク本体に接続されるパイプのことである。したがって、この「パイプ」のシステム分類名およびレイアウト分類名は、上記「タンク本体」と同一内容とされている。また、この「パイプ」には、「パイプ−１」「パイプ−２」「パイプ−３」の３種類の部品が存在しているが、このように同一部品に対して複数の部品名が存在するのは、当該部品については車種に応じて使い分けられる複数種類の部品が存在するということである。
【００２２】
一方、図３の部品データベースにおけるIV部およびＶ部には、各部品が使用される車両の仕様条件や車種名が上記車種仕様分類名として記入されるようになっており、それによって各部品がどのような車種に使用されるかが規定されている。このうち図３のIV部では、「仕向け」「ボディ」「エンジン」という各項目について、各部品がどのような仕様条件の車種に使用されるかが規定されている。例えば、部品「パイプ−１」に対応する「仕向け」の欄に「ＪＰＮ」が、「ボディ」の欄に「ＳＤＮ」が記入されていることで、パイプ−１は、仕向け先が日本（ＪＰＮ）でかつボディ形式がセダン（ＳＤＮ）である車種に適用されるものとして規定されていることになる。これと同様に、「パイプ−２」は、仕向け先が日本（ＪＰＮ）でかつボディ形式がワゴン（ＷＧＮ）である車種に適用され、「パイプ−３」は、仕向け先がアメリカ（ＵＳ）でかつボディ形式がセダン（ＳＤＮ）である車種に適用されるものとして規定されていることになる。一方、これらパイプ−１〜３に対応する「エンジン」の欄に「全」と記入されているのは、パイプ−１〜３が全てのエンジン形式に適用可能であることを表わしている。
【００２３】
また、図３の部品データベースにおけるＶ部では、上記「仕向け」「ボディ」「エンジン」の各仕様条件の組合せによって定まる複数の車種のうちのどの車種に対して各部品が使用されるかが規定されている。具体的に、上記車種として、表中には、仕向け先が日本（ＪＰＮ）、ボディ形式がセダン（ＳＤＮ）、エンジン形式がＣＥ（エンジン形式を特定するコード名）である「車種ａ」と、仕向け先が日本（ＪＰＮ）、ボディ形式がワゴン（ＷＧＮ）、エンジン形式がＤＥである「車種ｂ」と、仕向け先がアメリカ（ＵＳ）、ボディ形式がセダン（ＳＤＮ）、エンジン形式がＣＥである「車種ｃ」とが記載されており、各部品がこのうちのどの車種に適用されるかが、「○」マークによって規定されている。このような車種ａ〜ｃに対する各部品の適用の可否は、「仕向け」「ボディ」「エンジン」の各仕様条件に対する各部品の適用範囲が規定された上記IV部のデータに基づいて定められるようになっている。
【００２４】
ところで、上記図３の部品データベースでは車両の仕様条件として「仕向け」「ボディ」「エンジン」の３つの項目を例示したが、上記仕様条件は、上記３つの項目を含む複数の仕様条件の中からユーザによって任意に抽出されるようになっている。すなわち、車両の仕様条件としては、上記「仕向け」「ボディ」「エンジン」の３つの項目以外にも、例えば駆動方式（２ＷＤや４ＷＤ）やトランスミッション形式（ＡＴやＭＴ）等が存在し得るが、ユーザによるＣＡＤの使用目的によってはこれら多くの仕様条件の全てを考慮に入れて作業を行う必要がないため、上記仕様条件をユーザにより任意に設定可能にしたものである。例えば、駆動方式による部品形状の相違等を考慮に入れて設計を行う必要のないユーザにとっては、駆動方式に基づいて部品を分類してもＣＡＤの使用目的上特に有用性はない。これに対し、上記のように車両の仕様条件がユーザにより任意に抽出可能となっていれば、上記駆動方式のようなユーザにとって重要度の低い仕様条件を除外したより少ない仕様条件に基づいて部品が分類され、これに応じて後述する部品検索データが簡素化されるため、ユーザはその部品検索データを用いて必要とする部品をより容易に引き出すことが可能になる。また、このようにユーザによって任意に抽出された仕様条件に基づいて上記車種ａ〜ｃが決まることから、これら車種ａ〜ｃは、実際に開発または販売されている車種よりもバリエーションの少ない代表的な車種（代表車種）ということができ、ＣＡＤユーザは、その使用目的に応じて車種のバリエーションを適宜増減できるようになっている。
【００２５】
このようにして作成された部品の属性情報に関するデータベースは上記記憶手段１４に記憶され、この記憶された属性情報およびこれに属する部品が部品検索データとして表示手段１６に表示されるようになっている。図４は、この表示手段１６の画面を示している。この表示手段１６の画面上には、上記部品検索データとして、上記システム分類名等の属性情報のアイコンを上位層に、これに属する部品のアイコンを下位層にそれぞれ表示させたツリー状のデータを表示するための第１表示領域１６ａが設けられている。そして、この第１表示領域１６ａに表示されたツリー状の部品検索データの中から所望の部品のアイコンや属性情報のアイコンがマウスやキーボード等からなる選択手段１８（図１）の操作によって選択されるのに応じて、対応する部品のＣＡＤデータが隣接する第２表示領域１６ｂに表示されるように構成されている。
【００２６】
上記表示手段１６の第１表示領域１６ａには、上記システム分類名、レイアウト分類名、車種仕様分類名の各属性情報のうちの特定の属性情報およびこれに属する部品のアイコンが表示されることにより、以下に説明するようなシステム分類に基づく部品検索データと、レイアウト分類に基づく部品検索データと、車種仕様分類に基づく部品検索データとがそれぞれ表示されるようになっている。そして、ユーザがこれら複数の分類形式から特定の分類形式を選択する操作を行うのに応じて、上記３種類の部品検索データのうちの特定の部品検索データが上記表示手段１６に表示されるようになっている。
【００２７】
図５は、このうちのシステム分類に基づく部品検索データが上記表示手段１６の第１表示領域１６ａに表示された状態を示している。ここでは、属性情報としてのシステム名およびサブシステム名と、これに属する部品群のアイコンとがこの順番でツリー状に階層表示され、このうちの特定の部品名、または、サブシステム名もしくはシステム名のアイコンがユーザにより選択されるのに応じて、対応する部品のＣＡＤデータが上記表示手段１６の第２表示領域１６ｂに画像表示されるようになっている。
【００２８】
例えば、図５において括弧書きで示すように、サブシステム名「燃料タンク系」のアイコンが、ユーザによる選択手段１８の操作に応じて選択されると、この燃料タンク系のサブシステム名に属する部品群として、図６に示すタンク本体２０やパイプ２２等の部品が、互いに組み付けられた状態で上記第２表示領域１６ｂに表示されることになる。このとき、例えば「パイプ−１」「パイプ−２」「パイプ−３」のように、車種に応じて使い分けられる複数種類の部品が存在する場合には、これら複数種類のＣＡＤデータが画面上に重ねて表示されるようになっている。すなわち、図６においてパイプ２２の一部が分岐しているように見えるのは（同図のＸ部参照）、形状の異なる上記パイプ−１〜３のＣＡＤデータ（図３のＹＹＹＡ，ＹＹＹＢ，ＹＹＹＣ）が重ねて表示されているためである。なお、上記の例では、サブシステム名として「燃料タンク系」のアイコンを選択した例を示したが、これよりも下位層にある部品名（例えば「タンク本体」）のアイコンを選択すれば、その部品単体のＣＡＤデータを画像表示させることができる。逆に、サブシステムよりも上位層にあるシステム名として「燃料系」のアイコンを選択すれば、上記燃料タンク系に分類される部品を含んださらに多くの部品群を同時に表示させることができる。
【００２９】
また図７は、上記表示手段１６の第１表示領域１６ａにレイアウト分類に基づく部品検索データが表示された状態を示している。ここでは、属性情報としてのレイアウト名およびサブレイアウト名と、これに属する部品群のアイコンとがこの順でツリー状に階層表示されており、上述したシステム分類の場合と同様に、このうちの特定の部品名、または、サブレイアウト名もしくはレイアウト名のアイコンがユーザにより選択されるのに応じて、対応する部品のＣＡＤデータが上記表示手段１６の第２表示領域１６ｂに画像表示されるようになっている。また、例えば「パイプ−１」「パイプ−２」「パイプ−３」のように、車種に応じて使い分けられる複数種類の部品が存在する場合に、これら複数種類のＣＡＤデータが画面上に重ねて表示されるようになっているのも、上記システム分類の場合と同様である。
【００３０】
図８は、上記表示手段１６の第１表示領域１６ａに車種仕様分類に基づく部品検索データが表示された状態を示している。ここでは、車種ａ〜ｃを示すアイコンが最上位層に表示され、これら車種ａ〜ｃに属する部品群のアイコンが最下位層に表示されるとともに、これら車種名および部品名のアイコンの間の中位層に、先の図５に示したのと同様のシステム名およびサブシステム名のアイコンが表示されるようになっている。すなわち、この図８に示す部品検索データは、車種名のアイコンを基幹としてその下位層にシステム分類名および部品名のアイコンを従属させることで、各車種ａ，ｂ，ｃごとに部品の検索ができるように構成したものである。このことから、例えば図８において括弧書きで示すように、車種ａのアイコンよりも下位のサブシステム名「燃料タンク系」のアイコンが選択された状態では、この燃料タンク系のアイコンの下に、上記車種ａに使用される部品のみが表示され、車種ｂ，ｃにのみ使用される部品は表示されないようになっている。図８において「燃料タンク系」のアイコンの下に、車種ａに使用される「パイプ−１」のアイコンのみが表示され、車種ｂ，ｃ用の「パイプ−２」「パイプ−３」のアイコンが表示されていないのはこのためである。なお、このような車種に応じた部品の抽出は、図３に示した部品データベースに基づいて制御手段１０の判断により行われる。また、ここでは各車種ａ〜ｃのアイコンの下層にシステム分類により階層化された部品群を表示した例を示したが、レイアウト分類により階層化した部品群を表示することも可能となっている。
【００３１】
そして、図８において「燃料タンク系」のアイコンが選択されると、図９に示すように、この燃料タンク系に分類される部品群が表示手段１６の第２表示領域１６ｂに画像表示されることになる。このとき、上記第２表示領域１６ｂには、パイプ２２として車種ａに使用される「パイプ−１」用のＣＡＤデータ（図３のＹＹＹＡ）のみが画像表示されるため、先の図６の状態のように「パイプ−１」「パイプ−２」「パイプ−３」用の各ＣＡＤデータが画面上で重なることはない（図９のＸ部参照）。このため、１車種に絞ってＣＡＤデータを表示させたいユーザは、図８に示した車種仕様分類に基づく部品検索データを用いて部品の選択操作を行えばよい。一方、ＣＡＤの使用目的によっては複数車種のＣＡＤデータを重ねて表示させた方が便利な場合もあり、そのような場合には、図５や図７に示したシステム分類もしくはレイアウト分類に基づく部品検索データの表示画面を用いて部品の選択操作を行えばよい。なおこのことは、車種仕様分類に基づく部品検索データ（図８）を用いて複数車種のＣＡＤデータを重畳表示させることを除外する趣旨ではない。すなわち、図８では、車種ａに属する「燃料タンク系」のアイコンのみが選択されている例を示したが、これに加えてさらに車種ｂの「燃料タンク系」のアイコンを選択すれば、車種ａおよび車種ｂにそれぞれ使用される「燃料タンク系」の部品群のＣＡＤデータを重ねて表示させることができる。
【００３２】
以上説明したように、上記実施形態によれば、分類形式の異なる複数種類の属性情報、すなわち、システム分類名、レイアウト分類名、車種仕様分類名の各属性情報を属性情報付与手段１２によって各車両用部品に付与しておき、上記複数の分類形式から特定の分類形式が選択されるのに応じて、上記各属性情報のうちの特定の属性情報およびこれに属する部品を部品検索データとして表示手段１６（の第１表示領域１６ａ）に表示させるとともに、この部品検索データから特定の部品のＣＡＤデータが選択されるのに応じてそのＣＡＤデータを表示手段１６（の第２表示領域１６ｂ）に表示させるようにしたため、使用目的に応じた適正な形式の部品検索データを用いて必要なＣＡＤデータを容易に引き出すことが可能で、もってＣＡＤの使い勝手を効果的に向上させることのできるＣＡＤデータ管理システム１を構築することができる。
【００３３】
すなわち、上記実施形態では、上記属性情報として、各部品の機能に基づくシステム分類名と、各部品の組付位置に基づくレイアウト分類名と、各部品が使用される車両の仕様条件に基づく車種仕様分類名とを各部品に付与しておくことにより、図５，７，８に示したようなシステム分類、レイアウト分類、車種仕様分類に基づく異なる形式の部品検索データをそれぞれ表示手段１６に表示させることを可能にしたため、このうちの適正な部品検索データをＣＡＤの使用目的に応じて用いれば、特定の機能を有する部品もしくは特定の組付位置に組み付けられる部品のＣＡＤデータを引き出したり、車両の仕様条件に応じて使い分けられる部品のＣＡＤデータを車種ごとに分けて引き出したりする操作を容易に行うことができるようになる。
【００３４】
また、上記実施形態のように、システム分類名等の属性情報とこれに属する部品のアイコンとが階層化されたツリー状のデータを上記部品検索データとして表示手段に表示させた場合には、このツリー状の部品検索データを用いて必要な部品のＣＡＤデータをより容易に引き出すことができるという利点がある。
【００３５】
また、上記実施形態では、例えばシステム名とサブシステム名の２つの階層に分けてシステム分類名のアイコンを表示させたり（図５参照）、車種のアイコンにシステム分類名のアイコンを従属させて階層表示したりすることにより（図８参照）、属性情報のアイコンを複数の階層に分けて表示手段に表示させるようにしたため、従属関係にある複数の属性情報が系統的に整理された部品検索データを表示手段に表示させることができ、必要な部品のＣＡＤデータをさらに容易に引き出すことが可能である。
【００３６】
また、上記実施形態のように、部品検索データの選択状態に応じて、表示手段１６（の第２表示領域１６ｂ）に単一の車種のＣＡＤデータを表示させたり、複数の車種のＣＡＤデータを重ねて表示させたりできるようにした場合には、使用目的に応じたＣＡＤデータの多様な表示を可能にしてＣＡＤの使い勝手をより効果的に向上させることができるという利点がある。
【００３７】
例えば、全車種に共通に使用される特定の部品について他の部品との干渉をチェックしたいユーザにとっては、相手側の部品として全車種の部品のＣＡＤデータを表示させた方が便利であるものの、例えばある１車種について組立成立性を検討したいユーザにとっては、１車種に絞ってＣＡＤデータを表示させた方が便利である。このように場合においても、上記実施形態によれば、単一の車種のＣＡＤデータが表示される状態と、複数の車種のＣＡＤデータが重ねて表示される状態とを、上記のような各種形式の部品検索データを用いた選択操作に応じて容易に設定し分けることができるため、上記それぞれのユーザにとってＣＡＤの使い勝手は良好なものとなる。
【００３８】
なお、上記実施形態では、図５，７，８にそれぞれ示した各種形式の部品検索データをそれぞれ別々に用いて所望の部品のＣＡＤデータを引き出した例について説明したが、複数の分類検索データにまたがって部品の選択を行い得るように構成してもよい。すなわち、例えば、図５に示したシステム分類に基づく部品検索データの中から「燃料タンク系」のアイコンが選択された状態で、さらに図７に示したレイアウト分類に基づく部品検索データの中から「フロア後方部」のアイコンが選択された場合に、これに応じて「燃料タンク系」のサブシステム名に属しかつ「フロア後方部」のサブレイアウト名に属する部品群のＣＡＤデータを表示手段１６に表示させるように構成してもよい。
【００３９】
また、上記実施形態で示した部品検索データはあくまで一例であって、図３に示した部品データベースの用い方に応じて、上記実施形態とは異なる種々の部品検索データを形成することも可能である。例えば、図５，７，８でそれぞれ示した部品検索データに、「日本向け」「アメリカ向け」「セダン」「ワゴン」等の、車両の仕様条件を示すアイコンを追加することにより、車両の仕様条件ごとに部品を引き出すことができるように構成してもよい。このようにすれば、ある特定の仕様条件の車種に使用される部品（例えば日本向けに使用される部品）のＣＡＤデータを重畳表示させるといった作業を容易に行い得るようになり、ＣＡＤの使い勝手をさらに向上させることができる。
【図面の簡単な説明】
【００４０】
【図１】本発明の一実施形態にかかるＣＡＤデータ管理システムの全体構成を示すブロック図である。
【図２】車両用部品に付与される属性情報を説明するための図である。
【図３】車両用部品とその属性情報とが入力された部品データベースの具体例を示す図である。
【図４】表示手段の画面を示す図である。
【図５】システム分類に基づく部品検索データの表示状態を示す図である。
【図６】上記システム分類に基づく部品検索データの中から選択された部品のＣＡＤデータが表示された状態を示す図である。
【図７】レイアウト分類に基づく部品検索データの表示状態を示す図である。
【図８】車種仕様分類に基づく部品検索データの表示状態を示す図である。
【図９】上記車種仕様分類に基づく部品検索データの中から選択された部品のＣＡＤデータが表示された状態を示す図である。
【符号の説明】
【００４１】
１  ＣＡＤデータ管理システム
１０  制御手段
１２  属性情報付与手段
１４  記憶手段
１６  表示手段
【図１】
2007328497.tif 000003
【図２】
2007328497.tif 000004
【図３】
2007328497.tif 000005
【図４】
2007328497.tif 000006
【図５】
2007328497.tif 000007
【図６】
2007328497.tif 000008
【図７】
2007328497.tif 000009
【図８】
2007328497.tif 000010
【図９】
2007328497.tif 000011